(57)【特許請求の範囲】
【請求項１】
切替スイッチと、レンジ表示部と、前記切替スイッチに対する操作内容に基づいて複数の測定レンジのうちの現在の測定レンジを新たな測定レンジに切り替えると共に、前記レンジ表示部に対して当該新たな測定レンジを新たな現在の測定レンジとして表示させるレンジ切替処理を実行する処理部とを備えた測定装置であって、
前記切替スイッチを複数備えると共に、当該複数の切替スイッチのうちの少なくとも複数の特定の切替スイッチには２以上の前記測定レンジが重複しない状態で割り当てられ、
前記処理部は、前記特定の切替スイッチに対する操作時の前記レンジ切替処理において、前記現在の測定レンジが割り当てられている前記切替スイッチ以外の切替スイッチが操作されたときには、当該操作された切替スイッチに割り当てられている前記測定レンジのうちの１つを前記新たな測定レンジとして当該新たな測定レンジに切り替え、前記現在の測定レンジが割り当てられている前記切替スイッチが操作されたときには、当該操作された切替スイッチに割り当てられている測定レンジを予め規定された順序で前記新たな測定レンジとして当該新たな測定レンジに切り替える測定装置。
【請求項２】
前記特定の切替スイッチには、前記測定レンジが同じ個数ずつ割り当てられている請求項１記載の測定装置。
【請求項３】
前記処理部は、前記操作された切替スイッチに割り当てられている前記測定レンジのうちの１つとして、当該測定レンジのうちの前記現在の測定レンジに最も近い測定レンジを前記新たな測定レンジとする請求項１または２記載の測定装置。
【請求項４】
前記処理部は、前記操作された切替スイッチに割り当てられている前記測定レンジのうちの１つとして、当該測定レンジのうちの最大の測定レンジおよび最小の測定レンジのうちのいずれか一方を前記新たな測定レンジとする請求項１または２記載の測定装置。
【請求項５】
前記特定の切替スイッチには３以上の前記測定レンジが割り当てられ、
前記処理部は、前記特定の切替スイッチに対する操作時の前記レンジ切替処理において、前記予め規定された順序として、前記操作された切替スイッチに割り当てられている前記測定レンジを昇順および降順のうちのいずれか一方で前記新たな測定レンジとしつつ、昇順の場合において当該割り当てられている測定レンジのうちの最大の測定レンジが前記現在の測定レンジのときには当該割り当てられている測定レンジのうちの最小の測定レンジを前記新たな測定レンジとし、降順の場合において当該割り当てられている測定レンジのうちの最小の測定レンジが前記現在の測定レンジのときには当該割り当てられている測定レンジのうちの最大の測定レンジを前記新たな測定レンジとする請求項１から４のいずれかに記載の測定装置。
【請求項６】
前記特定の切替スイッチには３以上の前記測定レンジが割り当てられ、
前記処理部は、前記特定の切替スイッチに対する操作時の前記レンジ切替処理において、前記予め規定された順序として、前記操作された切替スイッチに割り当てられている前記測定レンジを昇順および降順を交互に繰り返す順序で前記新たな測定レンジとする請求項１から４のいずれかに記載の測定装置。
【請求項７】
前記切替スイッチ自体または前記切替スイッチの近傍には、当該切替スイッチに割り当てられている前記測定レンジを示す数字が表記されている請求項１から６のいずれかに記載の測定装置。
【発明の詳細な説明】
【技術分野】
【０００１】
本発明は、複数の測定レンジのうちの現在の測定レンジを新たな測定レンジに切替スイッチによって切り替える測定装置に関するものである。
【背景技術】
【０００２】
この種の測定装置として、下記の特許文献１において背景技術として開示された測定装置が知られている。この測定装置は、ＵＰキー、ＤＯＷＮキーおよびレンジ表示部を備えている。この測定装置では、例えば、１５Ｖ，３０Ｖ，６０Ｖ，１００Ｖ，１５０Ｖ，３００Ｖ，６００Ｖ，１０００Ｖの複数の測定レンジのうちの現在の測定レンジを所望の測定レンジにレンジ切替する場合に、レンジ表示部に表示されている現在の測定レンジを確認しつつＵＰキーやＤＯＷＮキーを操作して現在の測定レンジを１段ずつ変更することで、所望の測定レンジに切り替える。例えば、現在の３０Ｖの測定レンジから所望とする６００Ｖの測定レンジにレンジ切替する場合には、現在の測定レンジを確認しながらＵＰキーを５回押すことで、所望の測定レンジに切り替える。
【先行技術文献】
【特許文献】
【０００３】
【特許文献１】特開２００９−８５８９６号公報（第２頁、第６図）
【発明の概要】
【発明が解決しようとする課題】
【０００４】
ところが、上記の測定装置には、以下のような改善すべき課題が存在している。すなわち、この測定装置では、レンジ切替する場合に、所望の測定レンジが現在の測定レンジに近いときには、ＵＰキーやＤＯＷＮキーに対する操作回数が少ない状態で所望の測定レンジにレンジ切替できるものの、所望の測定レンジが現在の測定レンジから離れているときには、ＵＰキーやＤＯＷＮキーに対する操作回数が多くなるため（必要としない多くの測定レンジを経由するため）、レンジ切替作業の効率が低下するという改善すべき課題が存在している。
【０００５】
この課題を改善するために、複数の測定レンジの１つ１つに対応させて切替スイッチを設ける構成も考えられるが、この構成では、測定レンジの数と同数の切替スイッチを測定装置の正面パネルなどに配設しなければならず、切替スイッチを配置する広いスペースが正面パネルに必要となる結果、正面パネルが大型化するという改善すべき他の課題が発生する。
【０００６】
本発明は、かかる課題を改善するためになされたものであり、切替スイッチの数を低減しつつ、測定レンジの切替作業の効率を向上させ得る測定装置を提供することを主目的とする。
【課題を解決するための手段】
【０００７】
上記目的を達成すべく請求項１記載の測定装置は、切替スイッチと、レンジ表示部と、前記切替スイッチに対する操作内容に基づいて複数の測定レンジのうちの現在の測定レンジを新たな測定レンジに切り替えると共に、前記レンジ表示部に対して当該新たな測定レンジを新たな現在の測定レンジとして表示させるレンジ切替処理を実行する処理部とを備えた測定装置であって、前記切替スイッチを複数備えると共に、当該複数の切替スイッチのうちの少なくとも複数の特定の切替スイッチには２以上の前記測定レンジが重複しない状態で割り当てられ、前記処理部は、前記特定の切替スイッチに対する操作時の前記レンジ切替処理において、前記現在の測定レンジが割り当てられている前記切替スイッチ以外の切替スイッチが操作されたときには、当該操作された切替スイッチに割り当てられている前記測定レンジのうちの１つを前記新たな測定レンジとして当該新たな測定レンジに切り替え、前記現在の測定レンジが割り当てられている前記切替スイッチが操作されたときには、当該操作された切替スイッチに割り当てられている測定レンジを予め規定された順序で前記新たな測定レンジとして当該新たな測定レンジに切り替える。
【０００８】
請求項２記載の測定装置は、請求項１記載の測定装置において、前記特定の切替スイッチには、前記測定レンジが同じ個数ずつ割り当てられている。
【０００９】
請求項３記載の測定装置は、請求項１または２記載の測定装置において、前記処理部は、前記操作された切替スイッチに割り当てられている前記測定レンジのうちの１つとして、当該測定レンジのうちの前記現在の測定レンジに最も近い測定レンジを前記新たな測定レンジとする。
【００１０】
請求項４記載の測定装置は、請求項１または２記載の測定装置において、前記処理部は、前記操作された切替スイッチに割り当てられている前記測定レンジのうちの１つとして、当該測定レンジのうちの最大の測定レンジおよび最小の測定レンジのうちのいずれか一方を前記新たな測定レンジとする。
【００１１】
請求項５記載の測定装置は、請求項１から４のいずれかに記載の測定装置において、前記特定の切替スイッチには３以上の前記測定レンジが割り当てられ、前記処理部は、前記特定の切替スイッチに対する操作時の前記レンジ切替処理において、前記予め規定された順序として、前記操作された切替スイッチに割り当てられている前記測定レンジを昇順および降順のうちのいずれか一方で前記新たな測定レンジとしつつ、昇順の場合において当該割り当てられている測定レンジのうちの最大の測定レンジが前記現在の測定レンジのときには当該割り当てられている測定レンジのうちの最小の測定レンジを前記新たな測定レンジとし、降順の場合において当該割り当てられている測定レンジのうちの最小の測定レンジが前記現在の測定レンジのときには当該割り当てられている測定レンジのうちの最大の測定レンジを前記新たな測定レンジとする。
【００１２】
請求項６記載の測定装置は、請求項１から４のいずれかに記載の測定装置において、前記特定の切替スイッチには３以上の前記測定レンジが割り当てられ、前記処理部は、前記特定の切替スイッチに対する操作時の前記レンジ切替処理において、前記予め規定された順序として、前記操作された切替スイッチに割り当てられている前記測定レンジを昇順および降順を交互に繰り返す順序で前記新たな測定レンジとする。
【００１３】
請求項７記載の測定装置は、請求項１から６のいずれかに記載の測定装置において、前記切替スイッチ自体または前記切替スイッチの近傍には、当該切替スイッチに割り当てられている前記測定レンジを示す数字が表記されている。
【発明の効果】
【００１４】
請求項１記載の測定装置では、複数の特定の切替スイッチには２以上の測定レンジが重複しない状態で割り当てられ、処理部は、特定の切替スイッチに対する操作時のレンジ切替処理において、現在の測定レンジが割り当てられている切替スイッチ以外の切替スイッチが操作されたときには、この操作された切替スイッチに割り当てられている測定レンジのうちの１つを新たな測定レンジとしてこの新たな測定レンジに切り替え、現在の測定レンジが割り当てられている切替スイッチが操作されたときには、操作された切替スイッチに割り当てられている測定レンジを予め規定された順序で新たな測定レンジとしてこの新たな測定レンジに切り替える。
【００１５】
したがって、この測定装置によれば、複数の測定レンジの１つ１つに対応させて切替スイッチを個別に設ける構成の測定装置と比較して、切替スイッチの数を大幅に低減しつつ、ＵＰキーやＤＯＷＮキーに対する操作で測定レンジを切り替える構成の測定装置と比較して、切替スイッチに対する操作回数を大幅に少ない状態で所望の測定レンジに切り替えることができる。
【００１６】
また、請求項２記載の測定装置によれば、複数の特定の切替スイッチに測定レンジが同じ個数ずつ割り当てられているため、この複数の特定の切替スイッチにおいては、最大でこの割り当てられている個数と同じ回数切替スイッチを操作するだけで所望の測定レンジに切り替えることができる。
【００１７】
また、請求項３または４記載の測定装置によれば、現在の測定レンジが割り当てられていない切替スイッチに対する操作が行われたときに、この切替スイッチに割り当てられている複数の測定レンジのうちの端の測定レンジ（最小の測定レンジまたは最大の測定レンジ）を常に最初に新たな測定レンジとして決定することができる。このため、この測定装置によれば、使用者に対して、常に端の測定レンジ（最大の測定レンジまたは最小の測定レンジ）を起点としてレンジ切り替えを開始させること（つまり、その後の測定レンジの移動方向を直感的に把握し易い状態でレンジ切り替えを開始させること）ができるため、所望の測定レンジを行き過ぎてしまうといった誤操作を大幅に低減することができる。
【００１８】
また、請求項５または６記載の測定装置によれば、現在の測定レンジが割り当てられている切替スイッチに対する操作が行われたときに、予め規定された順序として、昇順または降順の順序、並びに昇順および降順を交互に繰り返す順序のような使用者にとって切り替え動作の予想のし易い順序で新たな測定レンジが決定されるため、所望の測定レンジを行き過ぎてしまうといった誤操作を大幅に低減することができる。
【００１９】
また、請求項７記載の測定装置によれば、各切替スイッチ自体または各切替スイッチの近傍に、各切替スイッチに割り当てられている測定レンジを示す数字が表記されているため、この測定レンジを示す数字を目安として、所望の測定レンジが割り当てられている切替スイッチを確実に操作することができる。
【図面の簡単な説明】
【００２０】
【図１】測定装置１の構成図である。
【図２】測定装置１の正面パネルＦＰの構成を説明するための測定装置１の正面図である。
【図３】測定装置１Ａの正面パネルＦＰの構成を説明するための測定装置１Ａの正面図である。
【発明を実施するための形態】
【００２１】
以下、測定装置の実施の形態について、添付図面を参照して説明する。
【００２２】
最初に、測定装置の構成について、図面を参照して説明する。
【００２３】
図１に示す測定装置としての測定装置１は、一例として、入力部２、レンジ切替部３、Ａ／Ｄ変換部４、処理部５、記憶部６、出力部７、複数（本例では一例として５個）の切替スイッチ１１ａ，１１ｂ，１１ｃ，１１ｄ，１１ｅ（以下、特に区別しないときには切替スイッチ１１ともいう）、およびレンジ表示部２１を備え、入力信号Ｓ１についての被検出量（本例では一例として、アナログ電圧信号である入力信号Ｓ１についての電圧信号波形）を、複数の測定レンジの中の所望の測定レンジで測定して出力可能に構成されている。本例では一例として、測定装置１は、１ｍＶ，２ｍＶ，５ｍＶ，１０ｍＶ，２０ｍＶ，５０ｍＶ，１００ｍＶ，２００ｍＶ，１Ｖ，２Ｖ，５Ｖ，１０Ｖ，２０Ｖ，５０Ｖの１４個の測定レンジのうちの任意の測定レンジに切り替え可能に構成されている。
【００２４】
入力部２は、例えば、入力信号Ｓ１の信号成分を選択的に通過させるバンドパスフィルタで構成されて筐体ＣＡ（図２参照）内に配設されると共に、測定装置１の筐体ＣＡを構成する不図示の壁面に設けられた入力端子（図示せず）を介して入力される入力信号Ｓ１にノイズ成分が含まれているときには、このノイズ成分を除去して出力する。レンジ切替部３は、筐体ＣＡ内に配設されて、入力部２から出力される入力信号Ｓ１を、選択されている測定レンジを示すレンジ信号Ｓｒａに対応する増幅率で増幅して増幅信号Ｓ２として出力する。
【００２５】
Ａ／Ｄ変換部４は、筐体ＣＡ内に配設されて、増幅信号Ｓ２を入力すると共にサンプリングすることにより、波形データＤ１に変換して出力する。処理部５は、筐体ＣＡ内に配設されたコンピュータで構成されて、記憶部６に記憶されている動作プログラムに基づいて動作することにより、レンジ選択処理、レンジ切替処理、波形データ記憶処理および波形データ出力処理を実行する。
【００２６】
記憶部６は、一例として、ＨＤＤ（Hard Disk Drive ）や、ＲＡＭなどの半導体メモリなどで構成されて筐体ＣＡ内に配設されている。また、記憶部６は、上記したように動作プログラムが記憶されると共に、測定レンジの初期値が記憶されている。
【００２７】
出力部７は、一例として、ＬＣＤ（Liquid Crystal Display）などの表示装置で構成されて、図２に示すように、筐体ＣＡの正面に位置する壁面ＦＰ（以下、正面パネルＦＰともいう）に配設されている。また、出力部７は、処理部５から出力される映像信号Ｓｐｉに基づいて、入力信号Ｓ１の波形画像を画面上に表示する。なお、出力部７については、表示装置に代えて、または表示装置と共に外部インターフェース回路で構成して、映像信号Ｓｐｉや波形データＤ１を外部装置に出力する構成を採用することもできる。
【００２８】
各切替スイッチ１１ａ，１１ｂ，１１ｃ，１１ｄ，１１ｅは、プッシュ式のスイッチで構成されて、図２に示すように正面パネルＦＰに、一例として左右方向に沿ってこの順序で一列に配設されている。また、各切替スイッチ１１ａ，１１ｂ，１１ｃ，１１ｄ，１１ｅは、操作（本例では押下）されたときには、押下信号Ｓｓａ，Ｓｓｂ，Ｓｓｃ，Ｓｓｄ，Ｓｓｅ（以下、特に区別しないときには押下信号Ｓｓともいう。図１参照）をそれぞれ処理部５に出力する。なお、各切替スイッチ１１は、図示はしないが、上下方向に沿って配設したり、左右方向に沿って複数列に配設したり、上下方向に沿って複数段に配設したりすることもできる。また、本例では一例として、各切替スイッチ１１の正面形状は同じ方形（正方形または長方形）に形成されているが、正面形状は方形に限らず、多角形や円形や楕円形などの任意の形状であってもよい。
【００２９】
また、各切替スイッチ１１のうちの複数の特定の切替スイッチ１１には、複数の測定レンジ１ｍＶ〜５０Ｖのうちの２以上の測定レンジが重複しない状態で割り当てられている。本例では一例として、切替スイッチ１１ａ，１１ｂ，１１ｄ，１１ｅが特定の切替スイッチ１１として、測定レンジが同じｍ個数ずつ（ｍは２以上の任意の整数。本例では一例として３（＝ｍ）個ずつ）割り当てられ、切替スイッチ１１ａ，１１ｂ，１１ｄ，１１ｅを除く他の切替スイッチ１１（本例では一例として、切替スイッチ１１ｃが１個だけであるが、この他の切替スイッチ１１が複数となる場合もある）には、残りの測定レンジ（特定の切替スイッチ１１に割り当てられていない測定レンジ）が割り当てられている。
【００３０】
具体的には、特定の切替スイッチ１１としての切替スイッチ１１ａ，１１ｂ，１１ｄ，１１ｅには、１ｍＶ，２ｍＶ，５ｍＶの３個の測定レンジ、１０ｍＶ，２０ｍＶ，５０ｍＶの３個の測定レンジ、１Ｖ，２Ｖ，５Ｖの３個の測定レンジ、１０Ｖ，２０Ｖ，５０Ｖの３個の測定レンジがそれぞれ割り当てられている。また、他の切替スイッチ１１（特定の切替スイッチ１１ではない切替スイッチ１１）としての切替スイッチ１１ｃには、残りの１００ｍＶ，２００ｍＶの２個の測定レンジが割り当てられている。すなわち、本例では一例として、各切替スイッチ１１には、左側から右側に行くに従って測定レンジが大きくなるように、測定レンジが割り当てられている。
【００３１】
また、図２に示すように、正面パネルＦＰには、割り当てられている測定レンジの数値を明示するための数字（「１」，「２」，・・・，「２００」など）が、各切替スイッチ１１の近傍（本例では一例として各切替スイッチ１１の上側近傍であるが、下側近傍や右側近傍や左側近傍でもよい）に表示されている。また、各切替スイッチ１１の表面には、割り当てられている測定レンジの補助単位を示す文字と共に、入力信号Ｓ１についての被検出量の単位を示す文字が表示されている。なお、補助単位の無い測定レンジについては、被検出量の単位を示す文字のみが表示されている。ここで、本例での補助単位とは、固有の名称を持つ１０の整数乗倍の単位（例えば、マイクロ（μ）やミリ（ｍ）など）であり、被検出量の単位とは、本例では、被検出量が一例として電圧信号波形であるため、ボルト（Ｖ）であるが、被検出量は電圧に限定されず、電流や電力であってもよいことから、被検出量が電流に関するもののときには、アンペア（Ａ）となり、電力に関するもののときには、ワット（Ｗ）となる。
【００３２】
この測定装置１では、以上の構成により、各切替スイッチ１１の近傍に表示されている数字と、各切替スイッチ１１の表面に表示されている単位（または、補助単位および単位）を示す文字とに基づいて、各切替スイッチ１１に割り当てられている２以上の測定レンジを使用者が認識することが可能になっている。
【００３３】
なお、この測定装置１では、上記したように、ｍＶ単位の測定レンジが８個であり、かつＶ単位の測定レンジが６個であって、特定の切替スイッチ１１に３個ずつ測定レンジを小さい測定レンジ側から単位毎（ｍＶ単位とＶ単位とに分けて）に割り当てる構成のため、１ｍＶ，２ｍＶ，５ｍＶの３個の測定レンジと、１０ｍＶ，２０ｍＶ，５０ｍＶの３個の測定レンジとを特定の切替スイッチ１１としての２つの切替スイッチ１１ａ，１１ｂに割り当てると共に、１Ｖ，２Ｖ，５Ｖの３個の測定レンジと、１０Ｖ，２０Ｖ，５０Ｖの３個の測定レンジとを特定の切替スイッチ１１としての２つの切替スイッチ１１ｄ，１１ｅに割り当て、かつ他の切替スイッチ１１としての切替スイッチ１１ｃに、ｍＶ単位の測定レンジの残りの１００ｍＶ，２００ｍＶの２個の測定レンジを割り当てる構成を採用しているが、仮に、ｍＶ単位の測定レンジが５００ｍＶを加えた９個のときには、ｍＶ単位の測定レンジを割り当てる３つの切替スイッチ１１ａ〜１１ｃに３個ずつ測定レンジを割り当てることが可能となる。このため、この場合には、切替スイッチ１１ａ〜１１ｃをすべて特定の切替スイッチ１１として、各切替スイッチ１１ａ〜１１ｃに、１ｍＶ，２ｍＶ，５ｍＶの３個の測定レンジと、１０ｍＶ，２０ｍＶ，５０ｍＶの３個の測定レンジと、１００ｍＶ，２００ｍＶ，５００ｍＶの３個の測定レンジとを割り当てる構成を採用することができる。
【００３４】
また、仮に、Ｖ単位の測定レンジが、上記の６個から５０Ｖの測定レンジを省いた５個のときには、切替スイッチ１１ｅが特定の切替スイッチ１１ではない他の切替スイッチ１１として、特定の切替スイッチ１１である切替スイッチ１１ｄに割り当てられた１Ｖ，２Ｖ，５Ｖの３個の測定レンジ以外の残りの１０Ｖ，２０Ｖの２個の測定レンジが割り当てられる構成となる。
【００３５】
また、図示はしないが、上記の構成に代えて、割り当てられている測定レンジの数値を明示するための数字と共に、測定レンジに補助単位がある場合には、この補助単位を示す文字についても、各切替スイッチ１１の近傍に表示する構成（例えば、測定レンジが２０ｍＶのときには、「２０ｍ」と表示する構成）を採用することもできる。この場合、各切替スイッチ１１の表面には、被検出量の単位を示す文字のみが表示される構成となる。また、図示はしないが、割り当てられている測定レンジの数値を明示するための数字と共に、被検出量の単位を示す文字を、測定レンジに補助単位がある場合には、この補助単位を示す文字を付加した状態で、各切替スイッチ１１の近傍に表示する構成（例えば、測定レンジが２０ｍＶのときには、「２０ｍＶ」と表示する構成）を採用することもできる。この場合、測定レンジを示す数字および単位（補助単位がある場合にはこの補助単位も付加された単位）のすべての情報が各切替スイッチ１１の近傍に表示されるため、各切替スイッチ１１の表面には被検出量の単位を示す文字を表示させない構成とすることができる。また、この構成に代えて、測定レンジを示す数字および単位の情報を、各切替スイッチ１１の近傍と各切替スイッチ１１の表面の双方に表示させる（併記する）構成を採用することもできる。
【００３６】
このように、正面パネルＦＰにおける各切替スイッチ１１の近傍に表示された情報により、各切替スイッチ１１に割り当てられている測定レンジが補助単位を含めて認識し得る状態のときには、１個の切替スイッチ１１に、補助単位の異なる測定レンジを混ぜて割り当てることもできる。一例として、１ｍＶ，２ｍＶ，５ｍＶ，１０ｍＶ，２０ｍＶ，５０ｍＶ，１００ｍＶ，２００ｍＶ，１Ｖ，２Ｖ，５Ｖ，１０Ｖ，２０Ｖの１３個の測定レンジを５個の切替スイッチ１１ａ〜１１ｅに、特定の切替スイッチ１１に３個の測定レンジを割り当てる条件で割り当てる場合には、４個の切替スイッチ１１ａ〜１１ｄを特定の切替スイッチ１１として、１ｍＶ，２ｍＶ，５ｍＶの３個の測定レンジを切替スイッチ１１ａに割り当て、１０ｍＶ，２０ｍＶ，５０ｍＶの３個の測定レンジを切替スイッチ１１ｂに割り当て、１００ｍＶ，２００ｍＶ，１Ｖの３個の測定レンジを切替スイッチ１１ｃに割り当て、２Ｖ，５Ｖ，１０Ｖの３個の測定レンジを切替スイッチ１１ｄに割り当て、かつ残りの２０Ｖの１個の測定レンジを特定の切替スイッチ１１ではない残りの切替スイッチ１１ｅに割り当てることもできる。
【００３７】
なお、上記の例では、各切替スイッチ１１に割り当てられている測定レンジについての情報を、主として正面パネルＦＰに表示する構成を採用しているが、この構成に代えて、割り当てられている測定レンジの数値を明示するための数字などを切替スイッチ１１の表面（切替スイッチ１１自体）にのみ表示して、正面パネルＦＰにおける各切替スイッチ１１の近傍への表示を省略することもできる。
【００３８】
レンジ表示部２１は、一例として、測定装置１の有する測定レンジの数と同数のＬＥＤ（Light Emitting Diode）と、処理部５から出力される駆動信号に基づいて各ＬＥＤを個別に駆動する不図示の駆動回路とを備えている。本例では上記したように、１ｍＶ，２ｍＶ，５ｍＶ，１０ｍＶ，２０ｍＶ，５０ｍＶ，１００ｍＶ，２００ｍＶ，１Ｖ，２Ｖ，５Ｖ，１０Ｖ，２０Ｖ，５０Ｖの１４個の測定レンジがあるため、１４個のＬＥＤ２２ａ，２２ｂ，２２ｃ，２２ｄ，２２ｅ，２２ｆ，２２ｇ，２２ｈ，２２ｉ，２２ｊ，２２ｋ，２２ｍ，２２ｎ，２２ｏ（以下、特に区別しないときにはＬＥＤ２２ともいう）を備えている。また、１４個のＬＥＤ２２ａ，２２ｂ，２２ｃ，２２ｄ，２２ｅ，２２ｆ，２２ｇ，２２ｈ，２２ｉ，２２ｊ，２２ｋ，２２ｍ，２２ｎ，２２ｏは、対応する駆動信号Ｓｄａ，Ｓｄｂ，Ｓｄｃ，Ｓｄｄ，Ｓｄｅ，Ｓｄｆ，Ｓｄｇ，Ｓｄｈ，Ｓｄｉ，Ｓｄｊ，Ｓｄｋ，Ｓｄｍ，Ｓｄｎ，Ｓｄｏ（以下、特に区別しないときには駆動信号Ｓｄともいう）に基づいてそれぞれ駆動される。
【００３９】
また、図２に示すように、ＬＥＤ２２ａは、正面パネルＦＰにおける１ｍＶの測定レンジの数値を示す数字（「１」）の近傍に配設され、ＬＥＤ２２ｂは、正面パネルＦＰにおける２ｍＶの測定レンジの数値を示す数字（「２」）の近傍に配設され、ＬＥＤ２２ｃは、正面パネルＦＰにおける５ｍＶの測定レンジの数値を示す数字（「５」）の近傍に配設されている。また、ＬＥＤ２２ｄは、正面パネルＦＰにおける１０ｍＶの測定レンジの数値を示す数字（「１０」）の近傍に配設され、ＬＥＤ２２ｅは、正面パネルＦＰにおける２０ｍＶの測定レンジの数値を示す数字（「２０」）の近傍に配設され、ＬＥＤ２２ｆは、正面パネルＦＰにおける５０ｍＶの測定レンジの数値を示す数字（「５０」）の近傍に配設されている。また、ＬＥＤ２２ｇは、正面パネルＦＰにおける１００ｍＶの測定レンジの数値を示す数字（「１００」）の近傍に配設され、ＬＥＤ２２ｈは、正面パネルＦＰにおける２００ｍＶの測定レンジの数値を示す数字（「２００」）の近傍に配設されている。
【００４０】
また、ＬＥＤ２２ｉは、正面パネルＦＰにおける１Ｖの測定レンジの数値を示す数字（「１」）の近傍に配設され、ＬＥＤ２２ｊは、正面パネルＦＰにおける２Ｖの測定レンジの数値を示す数字（「２」）の近傍に配設され、ＬＥＤ２２ｋは、正面パネルＦＰにおける５Ｖの測定レンジの数値を示す数字（「５」）の近傍に配設されている。また、ＬＥＤ２２ｍは、正面パネルＦＰにおける１０Ｖの測定レンジの数値を示す数字（「１０」）の近傍に配設され、ＬＥＤ２２ｎは、正面パネルＦＰにおける２０Ｖの測定レンジの数値を示す数字（「２０」）の近傍に配設され、ＬＥＤ２２ｏは、正面パネルＦＰにおける５０Ｖの測定レンジの数値を示す数字（「５０」）の近傍に配設されている。
【００４１】
なお、本例では、各ＬＥＤ２２は、対応する測定レンジの数値を示す数字の近傍として、図２に示すように、上側近傍に配設されているが、下側近傍、左側近傍および右側近傍のいずれに配設してもよい。また、正面パネルＦＰにおける測定レンジの数値を示す数字が表示された部位が、光透過性を有する材料（光透過性を有する合成樹脂材やガラス材）で形成されているときには、数字の背面近傍に各ＬＥＤ２２を配置して、対応する数字の背面側から光を照射する構成を採用することもできる。また、各ＬＥＤ２２と、対応する測定レンジの数値を示す数字とを対応付けるためのラインを正面パネルＦＰに印刷などで付記する構成を採用することもできる。
【００４２】
次いで、測定装置１の動作について説明する。
【００４３】
測定装置１の電源が投入されると、処理部５は、まず、記憶部６から測定レンジの初期値を読み出すと共に、レンジ切替処理を実行する。このレンジ切替処理では、処理部５は、この初期値を示すレンジ信号Ｓｒａをレンジ切替部３に出力すると共に、この初期値に対応する１つの駆動信号Ｓｄのみをレンジ表示部２１に出力して、レンジ表示部２１に対してこの初期値を示す１つのＬＥＤ２２のみを点灯させる。この場合、測定レンジの初期値として、測定装置１の仕様として予め規定された１つの測定レンジを示すデータが固定的に記憶されている構成であってもよいし、電源断の直前の現在の測定レンジを処理部５が初期値として記憶部６に更新記憶させることで、電源断時の現在の測定レンジを示すデータが記憶されている構成であってもよい。
【００４４】
電源の投入状態において、測定装置１では、入力部２が、入力端子を介して入力される入力信号Ｓ１からノイズ成分を除去して出力し、レンジ切替部３が、入力部２から出力される入力信号Ｓ１を、処理部５から出力されているレンジ信号Ｓｒａで示される測定レンジに対応する増幅率で増幅して増幅信号Ｓ２として出力する。また、レンジ表示部２１では、この測定レンジの近傍に配設されているＬＥＤ２２のみが点灯する。また、Ａ／Ｄ変換部４は、増幅信号Ｓ２を入力すると共に波形データＤ１に変換して処理部５に出力する。
【００４５】
処理部５は、波形データ記憶処理を実行して、入力した波形データＤ１を記憶部６に記憶させると共に、波形データ出力処理を実行して、記憶部６に記憶されている波形データＤ１に基づいて、入力信号Ｓ１の波形画像を示す映像信号Ｓｐｉを生成して出力部７に出力する。また、出力部７は、処理部５から出力される映像信号Ｓｐｉに基づいて、入力信号Ｓ１の波形画像を画面上に表示する。この場合、上記したように、現在の測定レンジの近傍に配設されているＬＥＤ２２のみが点灯し、他のＬＥＤ２２はすべて消灯しているため、測定装置１の使用者は、点灯しているＬＥＤ２２の近傍に表示されている測定レンジが現在の測定レンジであることを認識することが可能になっている。例えば、使用者は、ＬＥＤ２２ｂのみが点灯しているときには、現在の測定レンジが２ｍＶの測定レンジであることを認識でき、またＬＥＤ２２ｍのみが点灯しているときには、現在の測定レンジが１０Ｖの測定レンジであることを認識できる。
【００４６】
その後、処理部５は、波形データ記憶処理および波形データ出力処理を実行しつつ、切替スイッチ１１からの押下信号Ｓｓの出力の有無を検出する。この状態において、使用者は、現在の測定レンジを所望の測定レンジに切り替えるために、各切替スイッチ１１の近傍に表示されている測定レンジの数値を明示するための数字を目安にして、所望の測定レンジが割り当てられている切替スイッチ１１を押下する。この際には、この押下された切替スイッチ１１は、押下信号Ｓｓを処理部５に出力する。処理部５は、押下信号Ｓｓからの押下信号Ｓｓの出力を検出したときには、レンジ選択処理を実行する。
【００４７】
このレンジ選択処理では、処理部５は、まず、入力された押下信号Ｓｓに基づいて押下された切替スイッチ１１を検出（特定）する。次いで、処理部５は、検出した切替スイッチ１１（以下、検出切替スイッチ１１ともいう）と現在の測定レンジとに基づき、検出切替スイッチ１１に割り当てられている測定レンジのうちの１つを新たな測定レンジとして決定して、この新たな測定レンジに測定レンジを切り替える。
【００４８】
具体的には、処理部５は、まず、現在の測定レンジが、検出した切替スイッチ１１に割り当てられている測定レンジに含まれているか否かを判別する。この判別の結果、現在の測定レンジが検出切替スイッチ１１に割り当てられている測定レンジに含まれていないとの判別のときには、処理部５は、検出切替スイッチ１１に割り当てられている測定レンジのうちの１つの測定レンジを、予め決められている規則に基づいて新たな測定レンジとして決定する。また、処理部５は、新たな測定レンジを決定したときには、レンジ切替処理を実行して、この新たな測定レンジを示すレンジ信号Ｓｒａをレンジ切替部３に出力することで、レンジ切替部３に対して現在の測定レンジをこの新たな測定レンジに切り替えさせると共に、この新たな測定レンジに対応する１つの駆動信号Ｓｄのみをレンジ表示部２１に出力して、レンジ表示部２１に対してこの新たな測定レンジを示す１つのＬＥＤ２２のみを点灯させる。
【００４９】
この場合、新たな測定レンジを決定する上記の予め決められた規則として、処理部５は、以下の第１の規則と第２の規則のいずれかを採用することができる。この第１の規則では、切替スイッチ１１に割り当てられている測定レンジのうちの１つの測定レンジが初期測定レンジとして切替スイッチ１１毎に予め決められており、処理部５は、検出切替スイッチ１１に割り当てられている測定レンジ以外の測定レンジが現在の測定レンジである状態において、検出切替スイッチ１１に割り当てられている測定レンジを新たな測定レンジとして決定する際に、常にこの初期測定レンジを新たな測定レンジとして決定する。
【００５０】
例を挙げて説明すると、切替スイッチ１１に割り当てられている測定レンジのうちの例えば最小の測定レンジが初期測定レンジとして切替スイッチ１１毎に予め決められている構成において、切替スイッチ１１ｃが押下されたとき（検出切替スイッチ１１ｃのとき）に、この検出切替スイッチ１１ｃに割り当てられている測定レンジ以外の測定レンジ（例えば、１Ｖの測定レンジ）が現在の測定レンジである状態においては、処理部５は、この検出切替スイッチ１１ｃの初期測定レンジである１００ｍＶの測定レンジを新たな測定レンジとして決定する。また、処理部５は、切替スイッチ１１ｃに代えて切替スイッチ１１ｅが押下されたとき（検出切替スイッチ１１ｅのとき）に、この検出切替スイッチ１１ｅに割り当てられている測定レンジ以外の測定レンジ（例えば、１Ｖの測定レンジ）が現在の測定レンジである状態においては、この検出切替スイッチ１１ｅの初期測定レンジである１０Ｖの測定レンジを新たな測定レンジとして決定する。なお、最小の測定レンジを初期測定レンジとする上記の構成に代えて、切替スイッチ１１に割り当てられている測定レンジのうちの最大の測定レンジを初期測定レンジとして予め決めておく構成を採用することもできる。
【００５１】
また、第２の規則では、処理部５は、押下された切替スイッチ１１（検出切替スイッチ１１）に割り当てられている複数の測定レンジのうちのうちの現在の測定レンジに最も近い測定レンジを新たな測定レンジとして決定する。すなわち、処理部５は、現在の測定レンジが検出切替スイッチ１１に割り当てられている測定レンジよりも大きいときには、この検出切替スイッチ１１に割り当てられている測定レンジのうちの最大の測定レンジを新たな測定レンジとして決定し、現在の測定レンジが検出切替スイッチ１１に割り当てられている測定レンジよりも小さいときには、この検出切替スイッチ１１に割り当てられている測定レンジのうちの最小の測定レンジを新たな測定レンジとして決定する。
【００５２】
例を挙げて説明すると、現在の測定レンジとして１Ｖの測定レンジが選択されている状態において、現在の測定レンジよりも小さい測定レンジが割り当てられている切替スイッチ１１ｃが押下されたとき（現在の測定レンジが検出切替スイッチ１１に割り当てられている測定レンジよりも大きいとき）には、処理部５は、検出切替スイッチ１１ｃに割り当てられている測定レンジのうちの最大の測定レンジである２００ｍＶの測定レンジを新たな測定レンジとして決定し、切替スイッチ１１ｃに代えて切替スイッチ１１ｅが押下されたとき（現在の測定レンジが検出切替スイッチ１１に割り当てられている測定レンジよりも小さいとき）には、処理部５は、検出切替スイッチ１１ｅに割り当てられている測定レンジのうちの最小の測定レンジである１０Ｖの測定レンジを新たな測定レンジとして決定する。
【００５３】
一方、処理部５は、現在の測定レンジが、検出切替スイッチ１１に割り当てられている測定レンジに含まれていると判別したときには、検出切替スイッチ１１に割り当てられている測定レンジを予め規定された順序で新たな測定レンジとして決定する。また、処理部５は、新たな測定レンジを決定したときには、レンジ切替処理を実行して、この新たな測定レンジを示すレンジ信号Ｓｒａをレンジ切替部３に出力することで、レンジ切替部３に対して現在の測定レンジをこの新たな測定レンジに切り替えさせると共に、この新たな測定レンジに対応する１つの駆動信号Ｓｄのみをレンジ表示部２１に出力して、レンジ表示部２１に対してこの新たな測定レンジを示す１つのＬＥＤ２２のみを点灯させる。
【００５４】
この場合、検出切替スイッチ１１に割り当てられている測定レンジのうちの１つを新たな測定レンジとして決定するときの上記の予め決められた順序として、処理部５は、以下の第１の順序と第２の順序のいずれかを採用することができる。この第１の順序では、検出切替スイッチ１１に割り当てられている測定レンジを昇順および降順のうちのいずれか一方で新たな測定レンジとして決定しつつ、昇順の場合においてこの割り当てられている測定レンジのうちの最大の測定レンジが現在の測定レンジのときには、この割り当てられている測定レンジのうちの最小の測定レンジを新たな測定レンジとして決定し、一方、降順の場合においてこの割り当てられている測定レンジのうちの最小の測定レンジが現在の測定レンジのときには、この割り当てられている測定レンジのうちの最大の測定レンジを新たな測定レンジとして決定するという処理を繰り返す。
【００５５】
例を挙げて説明すると、この予め決められた順序では、処理部５は、昇順で新たな測定レンジを決定している場合であって、検出切替スイッチ１１が切替スイッチ１１ｂ（つまり、検出切替スイッチ１１ｂ）であり、現在の測定レンジが例えば２０ｍＶの測定レンジのときには、検出切替スイッチ１１ｂが押下される都度、５０ｍＶの測定レンジ、１０ｍＶの測定レンジ、２０ｍＶの測定レンジ、５０ｍＶの測定レンジ、・・・というように、最大の測定レンジが現在の測定レンジのときには次の新たな測定レンジを最小の測定レンジとするという決定手法を実行しつつ、昇順で新たな測定レンジを決定する。一方、処理部５は、降順で新たな測定レンジを決定している場合であって、検出切替スイッチ１１が切替スイッチ１１ｂ（つまり、検出切替スイッチ１１ｂ）であり、現在の測定レンジが例えば２０ｍＶの測定レンジのときには、検出切替スイッチ１１ｂが押下される都度、１０ｍＶの測定レンジ、５０ｍＶの測定レンジ、２０ｍＶの測定レンジ、１０ｍＶの測定レンジ、・・・というように、最小の測定レンジが現在の測定レンジのときには次の新たな測定レンジを最大の測定レンジとするという決定手法を実行しつつ、降順で新たな測定レンジを決定する。
【００５６】
また、第２の順序では、処理部５は、検出切替スイッチ１１に割り当てられている測定レンジを昇順および降順を交互に繰り返す順序で新たな測定レンジとして決定する。ここで、このレンジ切替処理では、昇順で決定した新たな測定レンジが、検出切替スイッチ１１に割り当てられている測定レンジのうちの最大の測定レンジになった後は、降順で新たな測定レンジを決定し、降順で決定した新たな測定レンジが、検出切替スイッチ１１に割り当てられている測定レンジのうちの最小の測定レンジになった後は、昇順で新たな測定レンジを決定する処理を繰り返す。また、この第２の順序では、新たな測定レンジを最初に決定する際には、昇順および降順のいずれから始めてもよいが、本例では一例として昇順から始めるものとする。
【００５７】
例を挙げて説明すると、この予め決められた順序では、処理部５は、検出切替スイッチ１１が切替スイッチ１１ｂ（つまり、検出切替スイッチ１１ｂ）であり、現在の測定レンジが例えば２０ｍＶの測定レンジのときには、検出切替スイッチ１１ｃが押下される都度、５０ｍＶの測定レンジ、２０ｍＶの測定レンジ、１０ｍＶの測定レンジ、２０ｍＶの測定レンジ、５０ｍＶの測定レンジ、・・・というように新たな測定レンジを決定する。
【００５８】
以上の構成により、上記した予め決められている規則として上記の第１の規則を採用すると共に、上記した予め決められた順序として上記の第１の順序を採用している測定装置１において、使用者が現在の測定レンジ（例えば、２ｍＶの測定レンジ）を所望の２０Ｖの測定レンジにレンジ切り替えする場合には、正面パネルＦＰにおける各切替スイッチ１１の近傍に表示されている測定レンジの数値を示す数字を目安にして、この２０Ｖの測定レンジが割り当てられている切替スイッチ１１ｅを押下し（これにより、検出切替スイッチ１１ｅとなる）、その後、この切替スイッチ１１ｅを１回だけ押下する。この切替スイッチ１１ｅに対する２回の押下（操作）により、処理部５は、まず、１０Ｖの測定レンジを新たな測定レンジとして決定し、次いで、２０Ｖの測定レンジを新たな測定レンジとして決定する。この際に、処理部５からレンジ表示部２１のＬＥＤ２２ｍおよびＬＥＤ２２ｎに駆動信号Ｓｄが順次出力されるため、点灯しているＬＥＤ２２の近傍に表示されている数値と、切替スイッチ１１に表示されている単位とから、新たな測定レンジ（新たな現在の測定レンジ）を認識しつつ、所望の測定レンジにレンジを切り替えることが可能になっている。また、さらに５０Ｖの測定レンジを所望の測定レンジとしてレンジ切り替えする場合には、この検出切替スイッチ１１ｅをさらに１回だけ押下することで、５０Ｖの測定レンジにレンジを切り替えることが可能になっている。
【００５９】
また、現在の測定レンジ（例えば、１Ｖの測定レンジ）を所望の５ｍＶの測定レンジにレンジ切り替えする場合には、この５ｍＶの測定レンジが割り当てられている切替スイッチ１１ａを３回押下する。この際に、処理部５は、まず、１ｍＶの測定レンジを新たな測定レンジとして決定し、次いで、２ｍＶの測定レンジを新たな測定レンジとして決定し、続いて、５ｍＶの測定レンジを新たな測定レンジとして決定する。これにより、使用者は、やはり、切替スイッチ１１に対する３回の押下（操作）で、この所望の５ｍＶの測定レンジにレンジを切り替えることが可能になっている。
【００６０】
また、現在の測定レンジ（例えば、２Ｖの測定レンジ）から、この現在の測定レンジと同じ切替スイッチ１１に割り当てられている１Ｖの測定レンジにレンジ切り替えする場合には、この両方の測定レンジが割り当てられている切替スイッチ１１ｄを２回押下する。この際に、処理部５は、まず、５Ｖの測定レンジを新たな測定レンジとして決定し、次いで、１Ｖの測定レンジを新たな測定レンジとして決定する。これにより、使用者は、切替スイッチ１１に対する２回の押下（操作）で、この所望の１Ｖの測定レンジにレンジを切り替えることが可能になっている。
【００６１】
また、具体的な説明については省略するが、上記した予め決められている規則として上記の第１の規則を採用すると共に、上記した予め決められた順序として上記の第２の順序を採用している測定装置１、上記した予め決められている規則として上記の第２の規則を採用すると共に、上記した予め決められた順序として上記の第１の順序を採用している測定装置１、および上記した予め決められている規則として上記の第２の規則を採用すると共に、上記した予め決められた順序として上記の第２の順序を採用している測定装置１のいずれにおいても、上記した予め決められている規則として上記の第１の規則を採用すると共に、上記した予め決められた順序として上記の第１の順序を採用している上記の測定装置１と同様にして、各切替スイッチ１１のうちの特定の切替スイッチ１１（上記の例では、切替スイッチ１１ａ，１１ｂ，１１ｄ，１１ｅ）に、測定レンジがｍ（上記の例では３）個ずつ割り当てられていることから、現在の測定レンジを、この現在の測定レンジが割り当てられていない切替スイッチ１１に割り当てられている所望の測定レンジにレンジ切り替えする場合には、最大でｍ（上記の例では３）回切替スイッチ１１を押下するだけでレンジ切り替えすることが可能であり、また、現在の測定レンジを、この現在の測定レンジが割り当てられている切替スイッチ１１に割り当てられている他の所望の測定レンジにレンジ切り替えする場合には、最大でｍ−１（上記の例では２）回切替スイッチ１１を押下するだけでレンジ切り替えすることが可能になっている。
【００６２】
また、測定装置１において、処理部５は、上記した第１の規則や第２の規則に基づき、押下された切替スイッチ１１（検出切替スイッチ１１）に割り当てられている複数の測定レンジのうちのうちの最小の測定レンジを最初の新たな測定レンジとして決定したときには、その後、この検出切替スイッチ１１がさらに押下された場合には、上記した第１の順序や第２の順序に基づいて次の新たな測定レンジを決定する際に、新たな測定レンジを最大の測定レンジとするまでは昇順で決定し、一方、上記した第１の規則や第２の規則に基づき、押下された切替スイッチ１１（検出切替スイッチ１１）に割り当てられている複数の測定レンジのうちのうちの最大の測定レンジを最初の新たな測定レンジとして決定したときには、その後、この検出切替スイッチ１１がさらに押下された場合には、上記した第１の順序や第２の順序に基づいて次の新たな測定レンジを決定する際に、新たな測定レンジを最小の測定レンジとするまでは降順で決定するという構成を採用することもできる。
【００６３】
この構成では、例えば、現在の測定レンジよりも低い所望の測定レンジにレンジを切り替えるために、この所望の測定レンジが割り当てられている検出切替スイッチ１１を押下したときに、処理部５は、まず、第２の規則に基づいて、この検出切替スイッチ１１に割り当てられている複数（３つ以上）の測定レンジのうちの最大の測定レンジを新たな測定レンジとして決定し、その後、この検出切替スイッチ１１が押下される都度、順次低い測定レンジを新たな測定レンジとして決定する（降順で新たな測定レンジを決定する）。逆に、現在の測定レンジよりも高い所望の測定レンジにレンジを切り替えるために、この所望の測定レンジが割り当てられている検出切替スイッチ１１を押下したときに、処理部５は、まず、第２の規則に基づいて、この検出切替スイッチ１１に割り当てられている複数（３つ以上）の測定レンジのうちの最小の測定レンジを新たな測定レンジとして決定し、その後、この検出切替スイッチ１１が押下される都度、順次高い測定レンジを新たな測定レンジとして決定する（昇順で新たな測定レンジを決定する）。
【００６４】
この構成により、現在の測定レンジよりも低い所望の測定レンジにレンジを切り替える場合には、測定レンジを単調減少させながら、所望の測定レンジにレンジ切り替えすることが可能となり、逆に、現在の測定レンジよりも高い所望の測定レンジにレンジを切り替える場合には、測定レンジを単調増加させながら、所望の測定レンジにレンジ切り替えすることが可能となることから、一方向（減少方向または増加方向）のレンジ切り替えのみで所望の測定レンジにより確実にレンジ切り替えすることが可能になる。
【００６５】
このように、この測定装置１では、切替スイッチ１１を複数備えると共に、この複数の切替スイッチ１１のうちの少なくとも複数の特定の切替スイッチ１１（上記の例では、切替スイッチ１１ａ，１１ｂ，１１ｄ，１１ｅ）には２以上のｍ個（上記の例では３個）の測定レンジが重複しない状態で割り当てられ、かつこの特定の切替スイッチ１１を除く他の切替スイッチ１１（上記の例では、切替スイッチ１１ｃ）には残りの測定レンジ（上記の例では２個の測定レンジ）が割り当てられ、処理部５は、レンジ切替処理において、現在の測定レンジが割り当てられている切替スイッチ１１以外の切替スイッチ１１が押下（操作）されたときには、この押下された切替スイッチ１１に割り当てられている測定レンジのうちの１つを新たな測定レンジとして決定して、この新たな測定レンジにレンジを切り替え、現在の測定レンジが割り当てられている切替スイッチ１１が押下されたときには、押下された切替スイッチ１１に割り当てられている測定レンジを予め規定された順序（上記した第１の順序または第２の順序）で新たな測定レンジとして決定して、この新たな測定レンジにレンジを切り替える。
【００６６】
したがって、この測定装置１によれば、複数の測定レンジの１つ１つに対応させて切替スイッチを個別に設ける構成の測定装置と比較して、切替スイッチ１１の数を大幅に低減しつつ、ＵＰキーやＤＯＷＮキーに対する操作で測定レンジを切り替える構成の測定装置と比較して、切替スイッチ１１に対する操作（押下）回数を大幅に少ない状態で所望の測定レンジにレンジ切り替えすることができる。
【００６７】
また、この測定装置１によれば、複数の特定の切替スイッチ１１（上記の例では、切替スイッチ１１ａ，１１ｂ，１１ｄ，１１ｅ）に測定レンジが同じｍ個数ずつ割り当てられ、かつ他の切替スイッチ１１には残りの測定レンジ（個数がｍ個未満の測定レンジ）が割り当てられているため、最大でｍ回切替スイッチ１１を押下するだけで所望の測定レンジにレンジ切り替えすることができる。
【００６８】
また、この測定装置１によれば、処理部５が、操作された切替スイッチ１１（検出切替スイッチ１１）に割り当てられている複数の測定レンジのうちの現在の測定レンジに最も近い測定レンジを新たな測定レンジとしたり、この検出切替スイッチ１１に割り当てられている複数の測定レンジのうちの最大の測定レンジや最小の測定レンジを新たな測定レンジとすることにより、検出切替スイッチ１１に割り当てられている複数の測定レンジのうちの端の測定レンジを常に最初に新たな測定レンジとして決定することができる。このため、この測定装置１によれば、使用者に対して、常に端の測定レンジ（最大の測定レンジまたは最小の測定レンジ）を起点としてレンジ切り替えを開始させること（つまり、その後の測定レンジの移動方向を直感的に把握し易い状態でレンジ切り替えを開始させること）ができるため、所望の測定レンジを行き過ぎてしまうといった誤操作を大幅に低減することができる。
【００６９】
また、この測定装置１によれば、現在の測定レンジが割り当てられている切替スイッチ１１に対する押下（操作）が行われたときに、予め規定された順序として、上記のような第１の順序（昇順または降順）、および第２の順序（昇順および降順を交互に繰り返す順序）のような使用者にとって切り替え動作の予想のし易い順序で新たな測定レンジが決定されるため、所望の測定レンジを行き過ぎてしまうといった誤操作を大幅に低減することができる。
【００７０】
また、この測定装置１によれば、各切替スイッチ１１自体または各切替スイッチ１１の近傍に、各切替スイッチ１１に割り当てられている測定レンジを示す数字が表記されているため、この測定レンジを示す数字を目安として、所望の測定レンジが割り当てられている切替スイッチ１１を確実に操作することができる。
【００７１】
なお、上記の測定装置１では、各測定レンジの数値を示す数字の近傍に個別に配設された測定レンジの個数と同数のＬＥＤ２２ａ〜２２ｏでレンジ表示部２１を構成しているが、この構成に限定されるものではない。例えば、図３に示す測定装置１Ａのように、出力部７が表示装置で構成されている場合には、その表示画面の一部の表示エリア（破線で示すエリア）をレンジ表示部２１Ａとして、このレンジ表示部２１Ａに現在の測定レンジの数値を示す数字を表示させる構成を採用することもできる。また、図示はしないが、レンジ表示部２１Ａを出力部７とは別の表示装置（ＬＣＤなど）で構成して、正面パネルＦＰに配置する構成を採用することもできる。なお、測定装置１Ａについては、レンジ表示部２１Ａ以外の構成については測定装置１と同一であるため、同一の構成については同一の符号を付して重複する説明を省略した。
【００７２】
また、上記の測定装置１では、複数の特定の切替スイッチ１１に測定レンジを同じ個数（ｍ個）ずつ割り当てる構成を採用しているが、最大でｍ回切替スイッチ１１を押下するだけで所望の測定レンジにレンジ切り替え可能とする場合において、複数の特定の切替スイッチ１１のうちのいくつかについては、２以上でかつｍ個未満の任意の数（例えば、ｍが４個のときには、２個または３個）の測定レンジを割り当てるようにすることもできる。
【符号の説明】
【００７３】
１，１Ａ  測定装置
５  処理部
１１ａ〜１１ｅ  切替スイッチ
２１，２１Ａ  レンジ表示部
２２ａ〜２２ｏ  ＬＥＤ
【図１】
0006448935.tif 000002
【図２】
0006448935.tif 000003
【図３】
0006448935.tif 000004